(57)【要約】【課題】車両における弾性材介設構造において、弾性材を新しいものなど別途のものと交換するための修復作業が容易かつ迅速にできるようにする。【解決手段】車両における弾性材介設構造は、車体２の一部分に連結される筒状支持体１６と、筒状支持体１６に圧入される外筒体１７と、車体２の他部分に連結されると共に外筒体１７内を相対的に遊動可能なように外筒体１７に内嵌される内筒体２０と、外、内筒体１７，２０の間の空間を埋めるよう空間に設けられる弾性材２１とを備える。外筒体１７の一部分に脆弱部２６を形成する。脆弱部２６と対向する筒状支持体１６の部分に、筒状支持体１６の外部から脆弱部２６に外力を付与可能にさせるための貫通孔２７を形成する。【選択図】図１
2015067155.tif 000002
【特許請求の範囲】
【請求項１】
車体の一部分に連結される筒状支持体と、この筒状支持体に圧入される外筒体と、車体の他部分に連結されると共に上記外筒体内を相対的に遊動可能なようにこの外筒体に内嵌される内筒体と、上記外、内筒体の間の空間を埋めるようこの空間に設けられる弾性材とを備えた車両における弾性材介設構造において、
上記外筒体の一部分に脆弱部を形成し、この脆弱部と対向する上記筒状支持体の部分に、この筒状支持体の外部から上記脆弱部に外力を付与可能にさせるための貫通孔を形成したことを特徴とする車両における弾性材介設構造。
【発明の詳細な説明】
【技術分野】
【０００１】
本発明は、サスペンションアームなど車体の一部分と、車体の骨格部材など車体の他部分との間に弾性材を介設し、この弾性材により上記車体の一部分と他部分との間における振動や衝撃力の伝達を抑制できるようにした車両における弾性材介設構造に関するものである。
【背景技術】
【０００２】
上記車両における弾性材介設構造には、従来、下記特許文献１に示されるものがある。この公報のものによれば、車両における弾性材介設構造は、車体の一部分である車両懸架用サスペンションアームに連結される筒状支持体と、この筒状支持体に圧入される外筒体と、車体の他部分である車体の骨格部材にブラケットを介し連結されると共に上記外筒体内を相対的に遊動可能なようにこの外筒体に内嵌される内筒体と、上記外、内筒体の間の空間を埋めるようこの空間に設けられる弾性材とを備えている。
【０００３】
ここで、上記したように弾性材は外、内筒体の間の空間を埋めるようこの空間に設けられるが、この場合、通常、上記弾性材は上記外筒体の内周面と内筒体の外周面とに加硫接着させられ、これにより、上記外、内筒体と弾性体とは互いに一体的な組み合わせ体とされる。そして、上記筒状支持体への組み合わせ体の取り付けは、この組み合わせ体の外筒体を上記筒状支持体に圧入させて、この筒状支持体に上記組み合わせ体を内嵌させることにより達成される。
【０００４】
上記車両の走行時には、通常、その走行面から車輪およびサスペンションアームを介し車体の骨格部材がわに振動や衝撃力が伝達されようとする。この場合、上記振動や衝撃力は、上記弾性材が弾性変形を繰り返すことにより緩和される。これにより、車両の操安性や車両への乗り心地が良好に維持される。
【先行技術文献】
【特許文献】
【０００５】
【特許文献１】特開平１１−２０８２２９号公報
【発明の概要】
【発明が解決しようとする課題】
【０００６】
ところで、車両が、砂利道など凹凸が多い走行面を走行する機会が多い場合には、上記弾性材には大きい振動や衝撃力がより長い時間、繰り返し与えられることとなる。よって、この繰り返し荷重に因り上記弾性材は短期間で損耗しがちとなる。
【０００７】
そして、弾性材が損耗したときには、これを新しいものに交換することが考えられるが、この場合、まず、損耗した弾性材を含む組み合わせ体を筒状支持体から取り外し、次に、新しい組み合わせ体の外筒体を上記筒状支持体に圧入させて、上記交換を行うこととされる。
【０００８】
しかしながら、前記したように、筒状支持体への上記組み合わせ体の取り付けは、この組み合わせ体の外筒体を上記筒状支持体に圧入することにより強固になされたものである。このため、上記筒状支持体から上記組み合わせ体を取り外す作業は、通常、次のように担持治具と押し治具とによる一組の治具を用いて行われる。
【０００９】
即ち、上記筒状支持体とこの筒状支持体に内嵌された組み合わせ体とのそれぞれ軸方向での一端部のうち、上記筒状支持体の一端部の端面のみと全体的に当接し、この端面からの負荷を担持可能とする上記担持治具が設定される。そして、この担持治具に担持された上記筒状支持体の他端部がわから上記組み合わせ体の外筒体に上記押し治具により負荷を与え、上記筒状支持体の一端部がわに向けて上記組み合わせ体を押動させる。すると、この組み合わせ体は、上記筒状支持体に対しその一端部がわに向けて相対移動し、この筒状支持体から取り外される。
【００１０】
なお、従来、上記組み合わせ体には、この組み合わせ体の一端部に鍔部を有したものがあり、この場合、上記筒状支持体に内嵌された組み合わせ体は、その鍔部が上記筒状支持体の上記一端部の端面に当接することとされる。そして、この構成において、上記筒状支持体から組み合わせ体を取り外す作業をする場合には、まず、上記鍔部をグラインダーなどにより削り落とし、その後、前記した担持治具と押し治具とによる一組の治具を用いて、前記と同様の作業をすることとされる。
【００１１】
よって、上記筒状支持体から組み合わせ体を取り外す従来の作業では、上記した一組の治具を要する分、極めて煩雑になりがちであり、この結果、上記車両における弾性材介設構造において、弾性材を交換することによる修復作業は煩雑かつ長時間を要する、という不都合が生じがちである。
【課題を解決するための手段】
【００１２】
本発明は、上記のような事情に注目してなされたもので、本発明の目的は、車両における弾性材介設構造において、弾性材を新しいものなど別途のものと交換するための修復作業が容易かつ迅速にできるようにすることである。
【００１３】
請求項１の発明は、車体２の一部分に連結される筒状支持体１６と、この筒状支持体１６に圧入される外筒体１７と、車体２の他部分に連結されると共に上記外筒体１７内を相対的に遊動可能なようにこの外筒体１７に内嵌される内筒体２０と、上記外、内筒体１７，２０の間の空間を埋めるようこの空間に設けられる弾性材２１とを備えた車両における弾性材介設構造において、
上記外筒体１７の一部分に脆弱部２６を形成し、この脆弱部２６と対向する上記筒状支持体１６の部分に、この筒状支持体１６の外部から上記脆弱部２６に外力を付与可能にさせるための貫通孔２７を形成したことを特徴とする車両における弾性材介設構造である。
【００１４】
なお、この項において、上記各用語に付記した符号や図面番号は、本発明の技術的範囲を後述の「実施例」の項や図面の内容に限定解釈するものではない。
【発明の効果】
【００１５】
本発明による効果は、次の如くである。
【００１６】
請求項１の発明は、車体の一部分に連結される筒状支持体と、この筒状支持体に圧入される外筒体と、車体の他部分に連結されると共に上記外筒体内を相対的に遊動可能なようにこの外筒体に内嵌される内筒体と、上記外、内筒体の間の空間を埋めるようこの空間に設けられる弾性材とを備えた車両における弾性材介設構造において、
上記外筒体の一部分に脆弱部を形成し、この脆弱部と対向する上記筒状支持体の部分に、この筒状支持体の外部から上記脆弱部に外力を付与可能にさせるための貫通孔を形成している。
【００１７】
このため、例えば、上記筒状支持体に対し外、内筒体と共に内嵌されている弾性材が損耗した場合に、この弾性材を新しいものなど別途のものと交換して上記弾性材介設構造を修復しようとする場合には、まず、上記貫通孔を通して上記外筒体の脆弱部に外力を付与する。そして、この外力により上記外筒体の脆弱部を変形させて上記外筒体の径寸法を少し縮小させてやれば、上記筒状支持体からの外、内筒体および弾性材の取り外しができる。そして、次に、上記筒状支持体に対し外、内筒体と共に別途の弾性材を内嵌させれば、上記筒状支持体に対する弾性材の交換作業が終る。
【００１８】
ここで、上記したように、貫通孔を通し上記外筒体の脆弱部に外力を付与したとき、上記脆弱部の変形は容易になされて上記外筒体の径寸法は直ちに縮小可能とされる。よって、その分、車両における弾性材介設構造において、弾性材を新しいものなど別途のものと交換するための修復作業は容易かつ迅速にできる。
【図面の簡単な説明】
【００１９】
【図１】車両のサスペンションの部分平面図である。
【図２】図１のII−II線矢視拡大断面図である。
【図３】（ａ）は、図１で示したものの部分斜視図である。（ｂ）は、（ａ）で示したものの斜視展開図である。
【図４】（ａ）は、図２に相当する図で、作用説明図である。（ｂ）は、（ａ）で示したものの斜視展開図である。
【発明を実施するための形態】
【００２０】
本発明の車両における弾性材介設構造に関し、車両における弾性材介設構造において、弾性材を新しいものなど別途のものと交換するための修復作業が容易かつ迅速にできるようにする、という目的を実現するため、本発明を実施するための形態は、次の如くである。
【００２１】
即ち、車両における弾性材介設構造は、車体の一部分に連結される筒状支持体と、この筒状支持体に圧入される外筒体と、車体の他部分に連結されると共に上記外筒体内を相対的に遊動可能なようにこの外筒体に内嵌される内筒体と、上記外、内筒体の間の空間を埋めるようこの空間に設けられる弾性材とを備える。
【００２２】
上記外筒体の一部分に脆弱部が形成される。この脆弱部と対向する上記筒状支持体の部分に、この筒状支持体の外部から上記脆弱部に外力を付与可能にさせるための貫通孔が形成される。
【実施例】
【００２３】
本発明をより詳細に説明するために、その実施例を添付の図に従って説明する。
【００２４】
図１〜３において、符号１は、自動車で例示される車両であり、矢印Ｆｒは、この車両１の進行方向の前方を示している。
【００２５】
車両１は、車体２と、この車体２後部の骨格部材３にリヤサスペンション４を介し懸架される後車輪５とを備え、この後車輪５により車体２の後部が走行面上に支持される。
【００２６】
上記サスペンション４は、車体２の左右各側部において、車体２の前後方向に延びるサスペンションアーム９と、これら左右サスペンションアーム９同士を結合するクロスメンバ１０と、車体２の幅方向に延びる枢支軸心１１回りに上記サスペンションアーム９の後部が上下揺動するようその前端部を上記骨格部材３に枢支する枢支具１２と、上記サスペンションアーム９の後端部に突設され、上記後車輪５を支持する車軸１３とを備えている。
【００２７】
上記枢支具１２は、本発明にいう車両１における弾性材介設構造に相当するもので、上記枢支軸心１１上に位置し、車体２の一部である上記サスペンションアーム９の前端部に連結される筒状支持体１６と、上記枢支軸心１１上で上記筒状支持体１６に圧入される外筒体１７と、上記枢支軸心１１上に位置し、車体２の他部分である上記骨格部材３にブラケット１８および締結具１９により連結されると共に上記外筒体１７内を相対的に遊動可能なようにこの外筒体１７に内嵌される内筒体２０と、上記外、内筒体１７，２０の間の空間を埋めるようこの空間に設けられる弾性材２１とを備えている。
【００２８】
上記筒状支持体１６、外筒体１７、および内筒体２０は、いずれも金属製の円筒体である。また、上記筒状支持体１６は、その外面が上記サスペンションアーム９の前端部に溶接されることにより、この前端部に連結される。また、上記弾性材２１は、上記外筒体１７の内周面と内筒体２０の外周面とに加硫接着させられて上記外、内筒体１７，２０の間の空間に設けられるが、この空間に圧入により取り付けられるものであってもよい。このため、上記外、内筒体１７，２０と弾性材２１とは互いに一体的な組み合わせ体２２とされる。そして、上記筒状支持体１６への組み合わせ体２２の取り付けは、この組み合わせ体２２の外筒体１７が上記筒状支持体１６に圧入されることにより達成される。
【００２９】
上記外筒体１７の周方向の一部分に脆弱部２６が形成される。この脆弱部２６は、上記外筒体１７の周方向の一部分を軸方向の全体にわたり切断したような切断部とされる。具体的には、上記外筒体１７の形成に際し、平坦な板材を円筒状となるよう屈曲させ、この円筒状板材の周方向における各端縁部の端面同士を突き合わせたとき、これら両突き合わせ面の間が上記切断部に相当する。
【００３０】
上記外筒体１７の厚さ方向で、上記脆弱部２６と対向する上記筒状支持体１６の部分に、この筒状支持体１６の外部から上記脆弱部２６に外力を付与可能とさせるための貫通孔２７が形成される。この貫通孔２７は雌ねじ孔とされ、この貫通孔２７に螺合可能な押しボルト２８が設けられる。なお、上記貫通孔２７はねじ無しの孔であってもよく、この場合、この孔の形状は長円形状であってもよい。また、上記貫通孔２７は、上記脆弱部２６に沿うよう上記筒状支持体１６の軸方向に複数設けてもよい。
【００３１】
図４（ａ）において、例えば、上記筒状支持体１６に内嵌されている上記組み合わせ体２２の弾性材２１が損耗した場合であって、この弾性材２１を新しいものなど別途のものと交換して上記枢支具１２を修復しようとする場合には、まず、上記貫通孔２７に押しボルト２８を螺合し、次に、上記弾性材２１からの弾性力に対抗しながら上記押しボルト２８を捻回して、この押しボルト２８から上記外筒体１７の脆弱部２６に押圧力（外力）を付与する。そして、上記押しボルト２８からの押圧力により上記外筒体１７の脆弱部２６を変形させて上記外筒体１７の径寸法を少し縮小させる。
【００３２】
そこで、図４（ｂ）で示すように、上記押しボルト２８を弛緩するよう捻回し、次に、上記組み合わせ体２２をペンチで引張するなどして、この組み合わせ体２２に対し、その軸方向に向かう外力を与える、すると、この組み合わせ体２２は、その外筒体１７の径寸法が縮小させられた分、上記筒状支持体１６に対し容易に軸方向に相対移動することから、この筒状支持体１６からの上記組み合わせ体２２の取り外しは容易にできる。
【００３３】
そして、その後、図３（ａ）で示すように、上記筒状支持体１６に対し、別途の弾性材２１を含む組み合わせ体２２を、その外筒体１７の圧入により内嵌させれば、上記筒状支持体１６に対する弾性材２１の交換作業が終る。
【００３４】
ここで、上記したように、貫通孔２７を通し上記外筒体１７の脆弱部２６に押しボルト２８から押圧力を付与したとき、上記脆弱部２６の変形は容易になされて上記外筒体１７の径寸法は直ちに縮小可能とされる。そして、その後、前記従来の技術で示したような一組の治具を不要として、上記筒状支持体１６からの組み合わせ体２２の取り外しが容易にできる。よって、その分、車両における上記枢支具１２において、弾性材２１を新しいものなど別途のものと交換するための修復作業は容易かつ迅速にできる。
【００３５】
なお、上記枢支具１２の構造は、車体２に対し前車輪を懸架するフロントサスペンションのロアアームや、車体２に対し車両１の走行駆動用のエンジンを含むパワーユニットを支持するためのユニットマウントなどに適用することができる。
【００３６】
また、上記脆弱部２６は、上記外筒体１７の周方向の一部分の内周面および／もしくは外周面に、その軸方向に断続的に形成される凹部（薄肉部）であってもよく、上記軸方向に連続的に形成される溝部（薄肉部）であってもよく、更に、上記軸方向の中途部分に部分的に形成され、この軸方向に長く延びる切断部（スリット含む）であってもよい。
【００３７】
更に、上記外筒体１７の周方向で互いに少し離れた２つの部分に、それぞれ上記した凹部、溝部、および軸方向の中途部分に部分的に形成される切断部のうち、少なくともいずれか一つを形成し、上記した外筒体１７の周方向で互いに少し離れた２つの部分の間の他部分を上記脆弱部２６としてもよい。
【００３８】
また、上記脆弱部２６は、上記外筒体１７の軸方向の中途部分に、その周方向に延びるように形成される上記凹部、溝部、および切断部のうち、少なくともいずれか一つであってもよく、この場合、上記切断部は、上記周方向に部分的に形成される。
【００３９】
更に、上記外筒体１７の軸方向で互いに少し離れた２つの部分に、それぞれ上記した凹部、溝部、および周方向に部分的に形成される切断部を形成し、上記した外筒体１７の軸方向で互いに少し離れた２つの部分の間の他部分を上記脆弱部２６としてもよい。
【００４０】
また、上記筒状支持体１６の外部から、上記貫通孔２７を通し上記脆弱部２６に外力を付与する場合、上記貫通孔２７に棒状材を差し込み、この棒状材を介しハンマーの打撃力を上記脆弱部２６にに付与するようにしてもよい。
【符号の説明】
【００４１】
１    車両
２    車体
３    骨格部材
４    サスペンション
５    後車輪
９    サスペンションアーム
１１  枢支軸心
１２  枢支具
１６  筒状支持体
１７  外筒体
２０  内筒体
２１  弾性材
２２  組み合わせ体
２６  脆弱部
２７  貫通孔
２８  押しボルト
【図１】
2015067155.tif 000003
【図２】
2015067155.tif 000004
【図３】
2015067155.tif 000005
【図４】
2015067155.tif 000006